(57)【特許請求の範囲】
【請求項１】
硬貨を鑑別する硬貨鑑別部と、投入された硬貨を前記硬貨鑑別部により鑑別し、正常に鑑別された硬貨を収納する硬貨収納部と、前記硬貨鑑別部により異常と判定された硬貨を収納するリジェクト部とを備えた硬貨処理装置であって、
所定の金種硬貨の体積を基準とする金種別体積比率を補正値として格納する金種別比率情報格納部と、
前記所定の金種硬貨を前記リジェクト部に収納できる枚数を基準異常硬貨収納可能枚数として設定し、前記硬貨鑑別部により前記異常と判定された硬貨の外径情報を用いて相当する金種を決定し、当該相当する金種情報に基づき前記金種別比率情報格納部より補正値を抽出し当該補正値により収納された枚数を補正し累積加算して補正後異常硬貨枚数を求め、前記基準異常硬貨収納可能枚数と補正後異常硬貨枚数とを比較して前記リジェクト部のフル状態を検知する制御部と、を設けたことを特徴とする硬貨処理装置。
【請求項２】
前記硬貨収納部のフル状態を検知すると、硬貨の入金を中止し、硬貨収納部内の硬貨を減らすように操作者に案内することを特徴とする請求項１記載の硬貨処理装置。
【請求項３】
請求項１または２に記載の硬貨処理装置を備えたことを特徴とする現金処理装置。
【発明の詳細な説明】
【技術分野】
【０００１】
本発明は、硬貨や紙幣の入出金処理を行う現金処理装置に搭載される硬貨処理装置の硬貨収納部等のあふれを防止する技術に関するものである。
【背景技術】
【０００２】
従来の現金処理装置では、硬貨収納部の所定の高さに配置した光学センサにより硬貨の量を検知したり、硬貨収納部に収納される硬貨の枚数を計数しその総枚数が所定の枚数に達したかどうかを検知したりして、フル状態を検知し硬貨のあふれを防止するようになっていた（例えば、特許文献１参照）。
【先行技術文献】
【特許文献】
【０００３】
【特許文献１】特開平７−１５２９４６号公報
【発明の概要】
【発明が解決しようとする課題】
【０００４】
しかしながら、上記従来の光学センサでフル状態を検知する現金処理装置では、硬貨が硬貨収納部内で偏った集積をするとフル状態を正しく検知できず、硬貨があふれてしまう場合があった。
【０００５】
また、上記従来の収納される枚数によりフル状態を検知する現金処理装置では、金種は考慮せずに収納可能な枚数を決めており、硬貨収納部に入る金種の割合によっては収納可能な枚数として決めた枚数に達しなくても硬貨があふれてしまう場合があった。
【課題を解決するための手段】
【０００６】
本発明は、前述の課題を解決するため次の構成を採用する。すなわち、硬貨を鑑別する硬貨鑑別部と、投入された硬貨を前記硬貨鑑別部により鑑別して計数し収納する硬貨収納部とを備えた硬貨処理装置であって、所定の金種硬貨の体積を基準とする金種別体積比率を補正値として格納する金種別比率情報格納部と、前記所定の金種硬貨を前記硬貨収納部に収納できる枚数を基準硬貨収納可能枚数として設定し、前記硬貨鑑別部にて判別された金種情報に基づき前記金種別比率情報格納部より補正値を抽出し当該補正値により収納された枚数を補正し累積加算して補正後硬貨枚数を求め、前記基準硬貨収納可能枚と前記補正後硬貨枚数とを比較して前記硬貨収納部のフル状態を検知する制御部と、を設けた。
【発明の効果】
【０００７】
本発明の硬貨処理装置によれば、硬貨を鑑別する硬貨鑑別部と、投入された硬貨を前記硬貨鑑別部により鑑別して計数し収納する硬貨収納部とを備えた硬貨処理装置であって、所定の金種硬貨の体積を基準とする金種別体積比率を補正値として格納する金種別比率情報格納部と、前記所定の金種硬貨を前記硬貨収納部に収納できる枚数を基準硬貨収納可能枚数として設定し、前記硬貨鑑別部にて判別された金種情報に基づき前記金種別比率情報格納部より補正値を抽出し当該補正値により収納された枚数を補正し累積加算して補正後硬貨枚数を求め、前記基準硬貨収納可能枚と前記補正後硬貨枚数とを比較して前記硬貨収納部のフル状態を検知する制御部と、を設けたので、多数の光学センサを設けることなく、硬貨の枚数を体積に応じて補正して硬貨収納部のフル状態を正確に検出することができ、硬貨収納部から硬貨があふれことがなく、計数のやり直しや現金違算などの不具合が発生することがない。
【図面の簡単な説明】
【０００８】
【図１】実施例１の現金処理装置の硬貨処理装置の構成である。
【図２】実施例１の現金処理装置の硬貨処理装置の動作説明図および金種別比率情報格納部の例示図である。
【図３】実施例２の現金処理装置の硬貨処理装置の構成図である。
【図４】実施例３の現金処理装置の硬貨処理装置の構成図である。
【図５】現金処理装置の外観斜視図である。
【発明を実施するための形態】
【０００９】
以下、本発明に係わる実施の形態例を、図面を用いて説明する。なお、図面に共通する要素には同一の符号を付す。
【実施例１】
【００１０】
（構成）
実施例１の現金処理装置の外観構成は、図５に示したようになっている。すなわち、実施例１の現金処理装置１は、装置上側に硬貨を取扱う硬貨処理装置１０が備えられ、下側に紙幣を取扱う紙幣処理装置２０が備えられている。そして、硬貨処理装置１０の上部には入金口シャッタを備えた硬貨を投入する硬貨投入口２が設けられており、装置前面側には硬貨の出金を行う硬貨出金口３が設けられている。また、紙幣処理装置２０の装置前面側には、紙幣の投入および出金を行う紙幣入出金口２１が備えられている。
【００１１】
実施例１の現金処理装置１の硬貨処理装置１０の機能構成図を図１に示す。実施例１の現金処理装置１の硬貨処理装置１０は、同図に示したように、操作者が硬貨８を投入する硬貨投入口２と、投入された硬貨８を搬送し硬貨の金種鑑別を行う硬貨鑑別部４と、さらに矢印Ｂ方向に硬貨８を搬送すると、搬送路５により搬送された硬貨８を矢印Ｃのように落下させて収納する硬貨収納部６と、これらの各部を制御する制御部７と、金種別に硬貨の体積に応じた比率を格納する金種別比率情報格納部７ａとから構成される。
【００１２】
（動作）
以上の構成により実施例１の現金処理装置の硬貨処理装置１０は、以下のように動作する。この動作を前述の図１および図２の日本硬貨のおおよその大きさおよび体積比率を示した動作説明図および金種別比率情報格納部７ａの例示図を用いて以下詳細に説明する。
【００１３】
まず、硬貨処理装置１は、矢印Ａのように硬貨投入口２に投入され硬貨受け２ａに格納された硬貨８を矢印Ｂのように搬送路５へと送り出す。
【００１４】
そして、送り出された硬貨８は、硬貨鑑別部４にて金種、例えば日本硬貨の場合では、５００円硬貨、１００円硬貨、５０円硬貨、１０円硬貨、５円硬貨、１円硬貨のいずれであるかを判別して計数しながら硬貨収納部６に収納する。
【００１５】
ところで、日本硬貨の場合の硬貨の大きさは、図２（ａ）に示したような大きさとなっている。例えば、５００円硬貨では、直径が約２６．５ｍｍ、厚さが約１．８ｍｍとなっており、この体積は約９９３立方ｍｍとなる。１００円硬貨では、約６８２立方ｍｍとなり、その他の硬貨も同図に示したような体積となる。
【００１６】
そして、例えば、５００円硬貨を基準硬貨としてその体積を１とすると、５００円硬貨の体積に対する体積比率αは、１００円硬貨では約０．７となり、５０円硬貨では約０．６となり、１０円硬貨では約０．６５となり、５円硬貨では０．６となり、１円硬貨では約０．５となる。これらの体積比率を図２（ｂ）に示したように金種別比率情報格納部７ａに補正値として金種ごとに格納しておく。
【００１７】
再び図１に戻って、金種鑑別された硬貨を硬貨収納部６に収納するときに、制御部７は、硬貨鑑別部５で判別された金種情報を用いて金種別比率情報格納部７ａを参照し抽出した補正値にて硬貨収納部６へ収納される硬貨の枚数を補正して収納された総枚数を累積計算し、基準とする５００円硬貨を硬貨収納部６に収容できる基準硬貨収納可能枚数Ｎｓとの比較によりフル状態となったかどうかを判定する。
【００１８】
例えば、硬貨収納部６の容量がタテ２００ｍｍ、ヨコ１００ｍｍ、高さ１２０ｍｍの直方体とすると、硬貨収納部６の容積は２４０万立方ｍｍとなり、集積の偏りを考慮しマージンを４０万立方ｍｍとすると、収納可能容積は２００万立方ｍｍとなり、基準とする５００円硬貨では、２００万立方ｍｍ÷９９３立方ｍｍ＝約２０００枚が収容可能枚数となるが、１円硬貨では、体積比率が約０．５となり、約４０００枚が収納可能な枚数となる。なお、本例では５００円硬貨を基準硬貨とするので、２０００枚が基準硬貨収納可能枚数Ｎｓとなる。
【００１９】
このように、収納できる枚数が体積比率によることから、硬貨鑑別部５で５００円硬貨と判定されたときは体積比率α＝１とし、１００円硬貨と判定されたときは体積比率α＝０．７とし、５０円硬貨と判定されたときは体積比率α＝０．６とし、１０円硬貨と判定されたときは体積比率α＝０．６５とし、５円硬貨と判定されたときは体積比率α＝０．６とし、１円硬貨と判定されたときは体積比率α＝０．５として、それぞれの枚数にそれぞれの体積比率αを乗算して補正し累積加算した全体の硬貨の補正後硬貨枚数Ｎｋを求める。
【００２０】
そして、基準硬貨収納可能枚数Ｎｓと、補正した全体の硬貨の枚数となる補正後硬貨枚数Ｎｋを比較して、例えばＮｓ≦Ｎｋとなったときに硬貨のフル状態として検知し、硬貨の入金処理を中断し、硬貨収納部６内の硬貨を減らすように操作者に案内する。
【００２１】
（実施例１の効果）
以上のように、実施例１の現金処理装置の硬貨処理装置によれば、硬貨を鑑別する硬貨鑑別部と、投入された硬貨を前記硬貨鑑別部により鑑別して計数し収納する硬貨収納部とを備えた硬貨処理装置であって、所定の金種硬貨の体積を基準とする金種別体積比率を補正値として格納する金種別比率情報格納部と、前記所定の金種硬貨を前記硬貨収納部に収納できる枚数を基準硬貨収納可能枚数として設定し、前記硬貨鑑別部にて判別された金種情報に基づき前記金種別比率情報格納部より補正値を抽出し当該補正値により収納された枚数を補正し累積加算して補正後硬貨枚数を求め、前記基準硬貨収納可能枚と前記補正後硬貨枚数とを比較して前記硬貨収納部のフル状態を検知する制御部と、を設けたので、多数の光学センサを設けることなく、硬貨の枚数を体積に応じて補正して硬貨収納部のフル状態を正確に検出することができ、効率的な収納ができるとともに、硬貨収納部から硬貨があふれことがなく、計数のやり直しや現金違算などの不具合が発生することがない。
【実施例２】
【００２２】
（構成）
実施例２の現金処理装置の外観構成は、実施例１と同様、図５に示した実施例１の現金処理装置と同様であるので、簡略化のためにその詳細な説明を省略する。
【００２３】
実施例２の現金処理装置１の硬貨処理装置１０は、図３に示したように、異常な硬貨を収納するリジェクト部８を新たに設けた構成となっており、このリジェクト部８に収納する異常硬貨があふれないように枚数を制御できるようになっている。その他の構成は、実施例１と同様であるので、簡略化のためにその詳細な説明は省略する。
【００２４】
（動作）
以上の構成により実施例２の現金処理装置の硬貨処理装置１０は、以下のように動作する。この動作を前述の図３の構成図を用いて以下詳細に説明する。
【００２５】
まず、硬貨処理装置１は、実施例１と同様、矢印Ａのように硬貨投入口２に投入され硬貨受け２ａに格納された硬貨８を矢印Ｂのように搬送路５へと送り出す。
【００２６】
そして、送り出された硬貨８は、硬貨鑑別部４にて金種、例えば日本硬貨の場合では、５００円硬貨、１００円硬貨、５０円硬貨、１０円硬貨、５円硬貨、１円硬貨のいずれであるかを判別して硬貨収納部６に収納する。このとき、異常な硬貨と判定された硬貨は、矢印Ｄにようにリジェクト部８に収納される。
【００２７】
そして、制御部７は、リジェクト部８へ収納された異常硬貨の体積を、硬貨鑑別部３で判別された異常硬貨の外径情報、すなわち直径や厚さ情報等を用いて相当する金種を判別し、当該判別した金種の体積比率である補正値を図２（ｂ）の金種別比率情報格納部７ａから抽出して異常硬貨の枚数を当該補正値と乗算して枚数を補正し、累積加算して補正後異常硬貨枚数Ｎｋｒを求め、所定のマージンを考慮して基準とする５００円硬貨に相当する異常硬貨をリジェクト部８に収容できる基準異常硬貨収納可能枚数Ｎｓｒに達したかどうかを判定してフル状態を検出する。
【００２８】
例えば、リジェクト部８が、タテ１００ｍｍ、ヨコ１００ｍｍ、高さ１２０ｍｍの直方体とすると、硬貨収納部６の容積は１２０万立方ｍｍとなり、集積の偏りを考慮しマージンを２０万立方ｍｍとすると、基準とする５００円相当の異常硬貨を収容できる基準異常硬貨収納可能枚数Ｎｓｒは、１００万立方ｍｍ÷９９３立方ｍｍ＝約１０００枚となる。
【００２９】
そして、基準とする５００円相当の異常硬貨の体積比率α、すなわち補正値を１とし、１００円硬貨相当の大きさの異常硬貨では補正値を０．７とし、５０円硬貨相当の大きさの異常硬貨の場合は補正値を０．６として枚数を補正して累積加算し補正後異常硬貨枚数Ｎｋｒを求め、リジェクト部８の容積に応じてあらかじめ設定した基準異常硬貨収納可能枚数Ｎｓｒ＝１０００枚に達したときにフル状態であると判定する。
【００３０】
（実施例２の効果）
以上のように、実施例２の現金処理装置の硬貨処理装置によれば、硬貨を鑑別する硬貨鑑別部と、投入された硬貨を前記硬貨鑑別部により鑑別して計数し収納する硬貨収納部と、前記硬貨鑑別部により異常と判定された硬貨を収納するリジェクト部を備えた硬貨処理装置であって、所定の金種硬貨の体積を基準とする金種別体積比率を補正値として格納する金種別比率情報格納部と、前記所定の金種硬貨を前記リジェクト部に収納できる枚数を基準異常硬貨収納可能枚数として設定し、前記硬貨鑑別部にて抽出された異常硬貨の外径情報を用いて相当する金種を決定し、当該相当する金種情報に基づき前記金種別比率情報格納部より補正値を抽出し当該補正値により収納された枚数を補正し累積加算して補正後異常硬貨枚数を求め、前記基準異常硬貨収納可能枚と補正後異常硬貨枚数とを比較して前記リジェクト部のフル状態を検知する制御部と、を設けたので、リジェクト部への異常硬貨の収納においても、多数の光学センサを設けることなく、硬貨の枚数を体積に応じて補正してリジェクト部のフル状態を正確に検出することができ、リジェクト部から硬貨があふれことがなく、計数のやり直しや現金違算などの不具合が発生することがない。
【実施例３】
【００３１】
（構成）
実施例３の現金処理装置の外観構成は、実施例２と同様、図５に示した実施例１の現金処理装置と同様であるので、簡略化のためにその詳細な説明を省略する。
【００３２】
実施例３の現金処理装置１の硬貨処理装置１０は、図４に示したように、実施例２の構成に、入金された硬貨を金種別に収納し出金取引などの際に金種別に繰り出す金種別ホッパ９を備え、金種別ホッパ９から繰り出された硬貨を硬貨収納部６に収納できる構成となっている。その他の構成は、実施例２と同様であるので、簡略化のためにその詳細な説明は省略する。
【００３３】
（動作）
以上の構成により実施例３の現金処理装置の硬貨処理装置１０は、以下のように動作する。この動作を前述の図４の構成図を用いて以下詳細に説明する。
【００３４】
まず、硬貨処理装置１は、実施例１と同様、矢印Ａにように硬貨投入口２に投入され硬貨受け２ａに格納された硬貨８を矢印Ｂのように搬送路５へと送り出す。
【００３５】
そして、送り出された硬貨８は、硬貨鑑別部４にて金種、例えば日本硬貨の場合では、５００円硬貨、１００円硬貨、５０円硬貨、１０円硬貨、５円硬貨、１円硬貨のいずれであるかを判別して矢印Ｅのように金種別ホッパ９に金種ごとに収納する。
【００３６】
そして、出金取引等の際に、金種別ホッパ５から所望の金種の硬貨を矢印Ｆのように繰り出し、硬貨収納部６へ収納し硬貨出金口３より出金する。
【００３７】
このとき、制御部７は、硬貨収納部６へ収納された硬貨の枚数を、金種別ホッパ９から繰り出した硬貨の金種情報を用いて金種別比率情報格納部２ａより補正値を抽出し枚数を補正し補正後硬貨枚数Ｎｋを求め、実施例１と同様に求めた硬貨収納部６への基準硬貨収納可能枚数Ｎｓと比較して、例えばＮｓ≦Ｎｋとなったときにフル状態とする。
【００３８】
例えば、実施例１と同様、硬貨収納部６の容量がタテ２００ｍｍ、ヨコ１００ｍｍ、高さ１２０ｍｍの直方体とすると、硬貨収納部６の容積は２４０万立方ｍｍとなり、集積の偏りを考慮しマージンを４０万立方ｍｍとすると、収納可能容積は２００万立方ｍｍとなり、基準とする５００円硬貨では、２００万立方ｍｍ÷９９３立方ｍｍ＝約２０００枚が収容可能枚数となり、２０００枚が基準硬貨収納可能枚数Ｎｓとなる。
【００３９】
このように、収納できる枚数が体積比率によることから、金種別ホッパ９の５００円硬貨のホッパから繰り出された硬貨は体積比率α＝１とし、金種別ホッパ９の１００円硬貨のホッパから繰り出された硬貨は体積比率α＝０．７とし、金種別ホッパ９の５０円硬貨のホッパから繰り出された硬貨は体積比率α＝０．６とし、金種別ホッパ９の１０円硬貨のホッパから繰り出された硬貨は体積比率α＝０．６５とし、金種別ホッパ９の５円硬貨のホッパから繰り出された硬貨は体積比率α＝０．６とし、金種別ホッパ９の１円硬貨のホッパから繰り出された硬貨は体積比率α＝０．５として、それぞれの枚数にそれぞれの体積比率αを乗算して補正し累積加算した全体の硬貨の補正後硬貨枚数Ｎｋを求める。
【００４０】
そして、基準硬貨収納可能枚数Ｎｓと、補正した全体の硬貨の枚数となる補正後硬貨枚数Ｎｋを比較して、例えばＮｓ≦Ｎｋとなったときに硬貨のフル状態として検知し、硬貨の入金処理を中断し、硬貨収納部６内の硬貨を減らすように操作者に案内する。
【００４１】
（実施例３の効果）
以上のように、第３の実施例によれば、硬貨を鑑別する硬貨鑑別部と、投入された硬貨を前記硬貨鑑別部により鑑別して計数し金種別に収納する金種別ホッパと、金種別に硬貨を繰り出し収納する硬貨収納部とを備えた硬貨処理装置であって、所定の金種硬貨の体積を基準とする金種別体積比率を補正値として格納する金種別比率情報格納部と、前記金種別ホッパから繰り出された金種情報に基づき前記金種別比率情報格納部より補正値を抽出し当該補正値により繰り出された枚数を補正し累積加算して補正後硬貨枚数を求め、前記基準硬貨収納可能枚と前記補正後硬貨枚数とを比較して前記硬貨収納部のフル状態を検知する制御部と、を設けたので、出金処理の際でも、多数の光学センサを設けることなく、硬貨の枚数を体積に応じて補正して硬貨収納部のフル状態を正確に検出することができ、硬貨収納部から硬貨があふれことがなく、計数のやり直しや現金違算などの不具合が発生することがない。
【００４２】
《その他の変形例》
以上の実施例の説明では、日本国の硬貨を例として説明したが、諸外国の硬貨を処理する現金処理装置、或いは日本国の硬貨や諸外国の硬貨が混在する現金処理装置にも本発明を容易に適用することができる。
【００４３】
また、以上の実施例の説明では、取扱う硬貨のうち最も大きな５００硬貨を基準として基準硬貨収納可能枚数、補正後硬貨枚数等を算出するように説明したが、その他の硬貨を基準として基準硬貨収納可能枚数、補正後硬貨枚数等を算出し、これらを比較してフル状態を検知するようにしてもよい。
【００４４】
また、以上の実施例の説明では、金種別や相当する金種ごとに枚数を体積比率により補正し補正後硬貨枚数や補正後異常硬貨枚数を算出するように説明したが、硬貨鑑別部３からの直径と厚さ情報から体積を算出してこれを累積し、所定のマージンを考慮して硬貨収納部６やリジェクト部８の容積に収容できるかどうかを判定してそれぞれの収納部のフル状態を検出するようにしてもよい。
【産業上の利用可能性】
【００４５】
以上述べたように、本発明は、硬貨等を収納する収納部のフル状態の検知を要する現金処理装置等に広く用いることができる。
【符号の説明】
【００４６】
１    現金処理装置
２    硬貨投入口
３    硬貨出金口
４    硬貨鑑別部
５    搬送路
６    硬貨収納部
７    制御部
７ａ  金種別比率情報格納部
８    硬貨
９    金種別ホッパ
１０  硬貨処理装置
Ｎｓ  基準硬貨収納可能枚数
Ｎｋ  補正後硬貨枚数
Ｎｓｒ  基準異常硬貨収納可能枚数
Ｎｋｒ  補正後異常硬貨枚数
【図１】
0005551473.tif 000002
【図２】
0005551473.tif 000003
【図３】
0005551473.tif 000004
【図４】
0005551473.tif 000005
【図５】
0005551473.tif 000006